(57)【要約】【課題】検針員の作業負担を軽減することができる流体計数装置を提供する。【解決手段】流体の使用に応じて発生する該流体の流量を、カウンタ６２ａを用いて計数する流体計数装置において、前記カウンタ６２ａによる積算値の出力を要求する出力要求の発生を検出する出力要求検出手段６１ａ１と、前記出力要求検出手段６１ａ１による出力要求の検出に応じて前記カウンタ６２ａによる積算値を出力する積算値出力手段６１ａ２と、前記積算値出力手段６１ａ２による積算値の出力に応じて、該積算値を出力したカウンタ６２ａに初期値を設定する初期値設定手段６１ａ３と、を備えることを特徴とする。【選択図】      図１
2005024363.tif 000002
【特許請求の範囲】
【請求項１】
流体の使用に応じて発生する該流体の流量を、カウンタを用いて計数する流体計数装置において、
前記カウンタによる積算値の出力を要求する出力要求の発生を検出する出力要求検出手段と、
前記出力要求検出手段による出力要求の検出に応じて前記カウンタによる積算値を出力する積算値出力手段と、
前記積算値出力手段による積算値の出力に応じて、該積算値を出力したカウンタに初期値を設定する初期値設定手段と、
を備えることを特徴とする流体計数装置。
【請求項２】
前記積算値出力手段が出力した前記カウンタの積算値を、当該カウンタの積算履歴を示す積算履歴情報として記憶する積算履歴情報記憶手段をさらに備える
ことを特徴とする請求項１に記載の流体計数装置。
【請求項３】
ガスの流量を積算してガス使用量を計測するガスメータにおいて、
請求項１又は２に記載の流体計数装置を備え、
前記流体計数装置の積算値出力手段は、前記ガスの供給側に認識させるために前記積算値を出力する
ことを特徴とするガスメータ。
【発明の詳細な説明】
【０００１】
【発明の属する技術分野】
本発明は、流体計数装置及びガスメータに関し、より詳細に、流体の使用に応じて発生する該流体の流量を、カウンタを用いて計数する流体計数装置、及び該流体計数装置を備えるガスメータに関するものである。
【０００２】
【従来の技術】
一般に、都市ガスを各家庭や集合住宅各戸に供給するためのガス供給設備は、地中に埋設された灯外内管と、この灯外内管から分岐して各戸別に対する導管と、導管の入口部位に設置されるガスメータとを有して構成し、このガスメータを介してガスを各戸別に供給している。このガスメータは、ガスの通過体積を積算し、この積算結果をガス使用量として表示部に表示している。
【０００３】
検針員は、検針日等にガスメータの表示部に表示される積算使用量を目視にて検針し、今月検針した積算使用量から先月検針した積算使用量を減じることで、各戸別毎のガス使用量を算出している。そして、そのガス使用量に応じたガス料金を計算し、当該ガス料金をガス消費者に請求している。
【０００４】
また、公衆電話回線を用いたガスメータ等の自動検針システムとしては、特許文献１に記載されたものが公知である。この自動検針システムは、センター側から端末（メータ）を公衆電話回線で呼び出し、端末とセンターのコンピュータ間を公衆電話回線で結んで、端末からセンターに積算値データを送信する双方方式である。しかし、このような自動検針システムは、そのシステムを構築する費用がかかりすぎるため、広く普及していない。
【０００５】
そこで、検針員が各需要家庭を巡回しながら、マイコンを内蔵したガスメータの検針値を、ハンディターミナルに手作業で入力し、その後、ハンディターミナルからセンター側のコンピュータにデータを転送する方法が用いられている。しかしこの方式では、人為的な入力ミスが避けられないという問題があった。
【０００６】
このような問題を解決するガスメータ検針用のハンディターミナルが、特許文献２で提案されている。このハンディターミナルは、ガスメータに対応した第一インターフェースと、各ガスメータのデータを蓄積させるコンピュータに対応した第二インタフェースと、ガスメータから受信した検針データ等をコンピュータへ送信可能なデータに変換するデータ変換部とを備えている。
【０００７】
このようにハンディターミナルを構成し、ガスメータのマイコンに記憶させた検針データ等をハンディターミナルに受信することで、検針員による人為的な入力ミスを避け、正確なデータをガスメータから得ることを可能としている。また、ハンディターミナルは、データ変換部を備えることで、データ編集機能を有する中継器を各ガスメータに設置するものに比べて、設備費用を低減させている。
【０００８】
【特許文献１】
特公昭６０−４６７５８号公報  （第１−２頁、第１図）
【特許文献２】
特開２００２−８１８０号公報  （第２−３頁、第１−２図）
【０００９】
【発明が解決しようとする課題】
しかしながら、都会等では建物が密集しているため、ガスメータの周りにビールや酒のケース等の荷物が積み上げられてガスメータに近づけないような場合は、ハンディターミナルをガスメータに接続することが困難であるという問題もあり、現在でも検針員の目視による検針が主流となっている。
【００１０】
そのため、現状では検針員が目視にて検針した積算使用量を、手書きで用紙等に書き込んだり、検針員が所持するハンディ・ターミナル等に入力したりするため、その積算使用量が増えれば増えるほど、検針作業に要する作業時間がかかり、検針員の作業負担が増大するとともに、人為的な入力ミスも発生するという問題は解消できていない。
【００１１】
また、ハンディターミナルを使用してデータを読み込むにしても、各ガスメータから読み込んだデータ記憶しておくための容量を必要とし、さらには、上述した自動検針システムと同様に、データを読み込むためのプログラムの容量も必要となるため、ハンディターミナルの記憶容量をかなり必要とするという問題があった。
【００１２】
さらに近年では、ガス消費量の拡大やガス器具の拡販やガス事業者間の販売競争に勝ち残るために、特別なガス使用料金体系を適用することが考えられてきた。このようなガス使用料金体系を実現するためにガスメータには、例えば、器具別、指定時間等の各種積算値をカウントするカウンタを設けており、検針員が検針データの他に、それらのカウンタのデータを目視により検針使用とすると、それらのデータの桁数が増えれば増えるほど検針員の作業時間がかかり、誤検針が頻発する可能性があった。
【００１３】
よって本発明は、上述した問題点に鑑み、検針員の作業負担を軽減することができる流体計数装置及びガスメータを提供することを課題としている。
【００１４】
【課題を解決するための手段】
上記課題を解決するため本発明によりなされた請求項１記載の流体計数装置は、図１の基本構成図に示すように、流体の使用に応じて発生する該流体の流量を、カウンタ６２ａを用いて計数する流体計数装置において、前記カウンタ６２ａによる積算値の出力を要求する出力要求の発生を検出する出力要求検出手段６１ａ１と、前記出力要求検出手段６１ａ１による出力要求の検出に応じて前記カウンタ６２ａによる積算値を出力する積算値出力手段６１ａ２と、前記積算値出力手段６１ａ２による積算値の出力に応じて、該積算値を出力したカウンタ６２ａに初期値を設定する初期値設定手段６１ａ３と、を備えることを特徴とする。
【００１５】
上記請求項１に記載した本発明の流体計数装置によれば、出力要求検出手段６１ａ１によって出力要求が検出されると、カウンタ６２ａによる積算値が積算値出力手段６１ａ２によって出力される。そして、この出力に応じてカウンタ６２ａにその初期値が初期値設定手段６１ａ３によって設定される。よって、出力要求の検出に応じてカウンタ６２ａによる積算値を出力すると、カウンタ６２ａに初期値を設定することから、流体計数装置が出力する積算値の桁数を少なくすることができる。従って、カウンタ６２ａの積算値の桁数は少ないことから、その積算値を読み取り易くなり、読み取り作業に要する作業時間を短縮することができるため、作業負担を軽減することができるとともに、誤検針が発生する確率を低減させることができる。
【００１６】
上記課題を解決するためになされた請求項２記載の発明は、図１の基本構成図に示すように、請求項１に記載の流体計数装置において、前記積算値出力手段６１ａ２が出力した前記カウンタ６２ａの積算値を、当該カウンタ６２ａの積算履歴を示す積算履歴情報として記憶する積算履歴情報記憶手段６２ｂをさらに備えることを特徴とする。
【００１７】
上記請求項２に記載した本発明の流体計数装置によれば、積算値出力手段６１ａ２によって出力された積算値は、そのカウンタ６２ａの積算履歴情報として積算履歴情報記憶手段６２ｂに記憶される。よって、出力要求の検出に応じてカウンタ６２ａによる積算値を出力すると、その積算値は積算履歴情報として記憶していることから、誤って出力要求を発生させてしまい、カウンタ６２ａに初期値が設定されて積算値が消えてしまっても、積算履歴情報に基づいて積算値を正確に把握することができる。
【００１８】
上記課題を解決するため本発明によりなされた請求項３記載のガスメータは、図１の基本構成図に示すように、ガスの流量を積算してガス使用量を計測するガスメータにおいて、請求項１又は２に記載の流体計数装置を備え、前記流体計数装置の積算値出力手段６１ａ２は、前記ガスの供給側に認識させるために前記積算値を出力することを特徴とする。
【００１９】
上記請求項３に記載した本発明のガスメータによれば、流体計数装置の出力要求検出手段６１ａ１によって出力要求が検出されると、カウンタ６２ａによる積算値がガスの供給側に認識させるために積算値出力手段６１ａ２によって出力される。そして、この出力に応じてカウンタ６２ａにその初期値が初期値設定手段６１ａ３によって設定される。よって、ガス使用量等の検針に応じて出力要求が発生すると、この出力要求に応じてカウンタ６２ａによる積算値を出力し、そのカウンタ６２ａに初期値を設定することから、出力要求に応じて出力する積算値の桁数を少なくすることができる。従って、カウンタ６２ａの積算値の桁数は少ないことから、検針員等は積算値を読み取り易くなり、検針作業に要する作業時間が短縮され、誤検針の確率も低くすることができる。また、センター側から自動検針する場合であっても、センター側に送信されるデータは従来よりも小さいことから、通信費用を低減することができるとともに、センター側で管理すべきデータの容量を低減することができる。
【００２０】
【発明の実施の形態】
以下、本発明に係る例えばガス、水等の流体の計測に用いられる流体計測装置をガスメータに組み込んだ場合の一実施の形態を、図２〜図４の図面を参照して説明する。
【００２１】
ここで、図２はガス供給設備の一例を示す構成図であり、図３は本発明に係るガスメータの構成を示す構成図であり、図４は図３のＣＰＵが実行する本発明に係る出力要求監視処理の一例を示すフローチャートである。
【００２２】
図２に示すガス供給設備において、２本のガス容器１ａ及び１ｂからの高圧のガスは、高圧ホース２ａ及び２ｂを介して、圧力調整器３に供給される。この圧力調整器３によってガス容器１ａ及び１ｂからの高圧のガスは、所定の圧力のガスに調整される。
【００２３】
調整されたガスは、途中に閉止コック４を有するガス管路５を介してガスメータ６に供給された後、さらにガス管路７、該ガス管路７から分岐した分岐ガス管路８を介して、主に消費側の室内等に設けられたガス器具９に供給されている。このガス器具９としては、例えば、給湯器９ａ、ガスコンロ９ｂ、ガスヒータ９ｃ、ガス床暖房９ｄなどがある。
【００２４】
次に、電池からの電力の供給により動作し、本発明の流体計数装置を組み込んだガスメータ６の構成について、図３を参照して以下に説明する。
【００２５】
ガスメータ６は、予め定められたプログラムに従って動作するマイクロコンピュータ（μＣＯＭ）６１を有している。μＣＯＭ６１は、周知のように、予め定めたプログラムに従って各種の処理や制御などを行う中央演算処理装置（ＣＰＵ）６１ａ、ＣＰＵ６１ａのためのプログラム等を格納した読み出し専用のメモリであるＲＯＭ６１ｂ、各種のデータを格納するとともにＣＰＵ６１ａの処理作業に必要なエリアを有する読み出し書き込み自在のメモリであるＲＡＭ６１ｃ等を有して構成している。
【００２６】
ガスメータ６はさらに、前記電池からの電力供給が断たれた場合でも、格納された各種データの保持が可能であり、ＣＰＵ６１ａの処理作業に必要な各種格納エリアを有する電気的消去／書き換え可能な読み出し専用のメモリ（ＥＥＰＲＯＭ）等のメモリ部６２を有する。そして、本実施の形態では、μＣＯＭ６１とメモリ部６２によって流体計数装置を実現している。
【００２７】
ガスメータ６はさらに、流量センサ６３、表示部６４、通信部６５を有し、それらの各々は、図示しないインタフェース部を介してμＣＯＭ６１に接続している。
【００２８】
流量センサ６３は、請求項中の流量測定手段に相当し、可動部（膜）の動きに応じて流量信号を発生し、該流量信号はデジタル変換されてμＣＯＭ６１に出力される。なお、本実施の形態では、流量センサ６３が可動部の動きに応じて流量信号を発生する場合について説明するが、本発明はこれに限定するものではなく、ガスメータ６内のガス通路を流れるガス流に応じて流量信号を発生するフローセンサなどを用いても差し支えない。
【００２９】
表示部６４には、ガス使用量の積算値や警報などの各種の情報を表示する液晶表示器（ＬＣＤ）などが用いられ、μＣＯＭ６１からの制御によって表示を行う。通信部６５には、ＮＣＵ（Ｎｅｔｗｏｒｋ  Ｃｏｎｔｒｏｌ  Ｕｎｉｔ）が用いられ、電話回線などの公衆回線を介してガス販売業者の管理センター等のセンターとの通信を可能とし、μＣＯＭ６１によって制御される。
【００３０】
上述したメモリ部６２は、検針カウンタ６２１と、月別検針カウンタ６２２ａと、合計積算カウンタ６２３ａと、特大流量区分積算カウンタ６２４ａ、大流量区分積算カウンタ６２５ａ、中流量区分積算カウンタ６２６ａ、小流量区分積算カウンタ６２７ａ等の区分カウンタと、指定時間帯積算カウンタ６２８ａと、を記憶している。
【００３１】
検針カウンタ６２１は、ガスメータ６が設置されてからのガス流量を積算した積算値（通算のガス使用量）を格納するカウンタであり、流量センサ６３が出力した流量信号に基づいてガス流量が測定された際にその積算値は更新される。
【００３２】
月別検針カウンタ６２２ａは、前回の検針（出力要求の検出）によって積算値をクリアしてからのガス流量を積算した積算値（月別のガス使用量）を格納するカウンタ、つまり１ヶ月分のガス使用量を積算するカウンタであり、今回の検針（出力要求の検出）に応じて積算値を出力すると、初期値”０”が設定されることでクリアされる。また、流量センサ６３が出力した流量信号に基づいてガス流量が測定された際にその積算値は更新される。
【００３３】
合計積算カウンタ６２３ａは、ガスメータ６における個別積算機能有効を設定した以降のガス流量を積算した積算値が格納され、流量センサ６３が出力した流量信号に基づいてガス流量が測定された際にその積算値は更新される。
【００３４】
特大流量区分積算カウンタ６２４ａ、大流量区分積算カウンタ６２５ａ、中流量区分積算カウンタ６２６ａ、小流量区分積算カウンタ６２７ａの各区分カウンタは、予め任意に定められた単位時間当たりの消費量を所定の範囲に区分する複数の流量区分毎に対応するように設けている。
【００３５】
例えば、本実施の形態では、ガスメータ６が使用時間遮断の際に用いる既存の１〜１３等の流量区分を、流量区分１１〜１３の場合に特大流量区分、流量区分７〜１０の場合に大流量区分、流量区分３〜６の場合に中流量区分、流量区分２以下の場合に小流量区分というように、ガス流量の変化量を４つの個別流量（流量区分）を区分している。
【００３６】
特大流量区分積算カウンタ６２４ａ、大流量区分積算カウンタ６２５ａ、中流量区分積算カウンタ６２６ａ、小流量区分積算カウンタ６２７ａの各々は、ガス流量の変化に伴う変化量が発生した以降に、その変化量が属する流量範囲に対応する区分カウンタに測定されたガス流量が積算されることから、流量区分毎のガス使用量（体積）を各区分カウンタで積算することができる。
【００３７】
このように流量区分については、ガス事業者等が任意に設定することが可能な構成となっていることから、給湯器９ａにて風呂を沸かすときの大流量と手を洗うときの小流量の割引率を変えて設定するというように、ガス事業者等が流量区分毎に割引率を設定することができるため、ガス事業者等はガス消費者に色々な割引サービスを提案することが可能となり、ガス消費者へのアピール度も高くなることから、ガスの拡販や競合ガス事業者との競争に対して優位に立つことができる。さらに、きめ細やかな割引サービスをガス消費者に提案することで、ガス消費量の増加を期待することができる。
【００３８】
指定時間帯積算カウンタ６２８ａは、指定時間帯に測定されたガス流量を積算した積算値が格納される。詳細には、予め設定した指定時間帯判定値に到達するとガス流量の積算を開始し、指定時間帯判定値以外になったとき、機能有りからなしに変更されたとき等に積算を停止する。
【００３９】
メモリ部６２はさらに、検針カウンタ６２１、月別検針カウンタ６２２ａ、合計積算カウンタ６２３ａ、特大流量区分積算カウンタ６２４ａ、大流量区分積算カウンタ６２５ａ、中流量区分積算カウンタ６２６ａ、小流量区分積算カウンタ６２７ａ、指定時間帯積算カウンタ６２８ａの各々に対応し、各カウンタが出力した積算値の積算履歴を示す積算履歴情報６２２ｂ、６２３ｂ、６２４ｂ、６２５ｂ、６２６ｂ、６２７ｂ、６２８ｂを記憶している。
【００４０】
本実施の形態において、積算履歴情報６２２〜６２８ｂの各々は、前回と前々回の積算値を有し、各カウンタの積算値が出力されると、前回の積算値が前々回の積算値、出力された積算値が前回の積算値として設定されることで更新される。そして、積算履歴情報６２２〜６２８ｂの前回及び前々回の積算値は、外部からの出力要求に応じて出力することが可能な構成となっている。
【００４１】
よって、メモリ部６２に各種カウンタと積算履歴情報を記憶していることから、メモリ部６２が請求項中のカウンタと積算履歴情報記憶手段として機能している。また、本実施の形態では、各カウンタに対応させて積算履歴情報６２２ｂ〜６２８ｂを設けているが、１つの積算履歴情報で全てのカウンタの履歴を示すように構成するなど種々異なる実施の形態とすることができる。
【００４２】
次に、ガスメータ６のＣＰＵ６１ａが実行する本発明に係る出力要求監視処理の一例を、図４のフローチャートを参照して以下に説明する。
【００４３】
図４に示す出力要求監視処理が実行されると、ステップＳ１（出力要求検出手段）において、積算値の出力を要求する出力要求の発生を検出したか否かが判定される。出力要求を検出していないと判定された場合は（Ｓ１でＮ）、ステップＳ６に進む。一方、出力要求を検出したと判定された場合は（Ｓ１でＹ）、その出力要求がＲＡＭ６１ｃに記憶され、ステップＳ２に進む。
【００４４】
ステップＳ２において、出力要求が有するカウント種別に基づいて、該当するカウンタの積算値がメモリ部６２から出力されてＲＡＭ６１ｃに記憶され、ステップＳ３（積算値出力手段）において、ガスメータ６の表示部６４に出力する場合は、その積算値が表示部６４に出力され、また、ガスメータ６の外部に送信する場合は、積算値を送信するための電文が生成され、この電文が通信部６５に出力され、その後ステップＳ４に進む。
【００４５】
ステップＳ４において、出力要求が示すカウンタに対応する積算履歴情報に対し、その前回の積算値が前々回の積算値に設定され、今回出力した積算値が前回の積算値として設定されることで、その積算履歴情報が更新され、ステップＳ５（初期値設定手段）において、出力要求が示すカウンタに初期値（例えば”０”等）が設定されることでカウンタがクリアされ、その後ステップＳ６に進む。
【００４６】
ステップＳ６において、終了要求を受けたか否かが判定される。終了要求を受けていないと判定された場合は（Ｓ６でＮ）、ステップＳ１に戻り、一連の処理が繰り返される。一方、終了要求を受けたと判定された場合は（Ｓ６でＹ）、処理が終了される。
【００４７】
以上の説明からも明らかなように、ガスメータ６のＣＰＵ６１ａが、特許請求の範囲に記載の出力要求検出手段、積算値出力手段、及び初期値設定手段として機能している。
【００４８】
次に、上述した本発明に係るガスメータ６の本実施の形態の動作（作用）の一例を以下に説明する。
【００４９】
ガスメータ６の外部からハンディターミナル等の設定器より通信部６５を介して出力要求がガスメータ６に入力されると、ガスメータ６は出力要求の発生を検出し、この出力要求が月別検針カウンタ６２２ａを示していると、ガスの供給側に認識させるために、月別検針カウンタ６２２ａによる積算値を有する電文を通信部６５に出力することで、通信部６５から設定器に送信される。そして、設定器のメモリにその積算値（月別の検針データ）が記憶される。
【００５０】
また、検針員が検針データを目視する運行形態の場合は、月別検針カウンタ６２２ａによる積算値を表示部６４に出力することで、表示部６４に積算値が表示され、その表示された積算値を検針員が読み取り、その積算値を手書きで用紙等に書き込んだり、検針員が所持する設定器に入力することで、検針作業を終了する。
【００５１】
以上説明したように、ガス使用量等の検針に応じて出力要求が発生すると、この出力要求が示すカウンタ６２２ａ〜６２８ａによる積算値を出力し、そのカウンタに初期値を設定することから、出力要求に応じて出力する積算値の桁数を少なくすることができる。従って、カウンタの積算値の桁数は少ないことから、検針員等は積算値を読み取り易くなり、検針作業に要する作業時間が短縮され、誤検針の確率も低くすることができる。
【００５２】
また、センター側から自動検針する場合であっても、センター側から出力要求を通信部６５を介してガスメータ６に送信し、この出力要求に応じてガスメータ６がセンター側に送信（出力）するデータは従来よりも小さくなることから、通信費用を低減することができるとともに、センター側で管理すべきデータの容量を低減することができる。
【００５３】
なお、上述した本実施の形態では、出力要求にて積算値を出力するカウンタを指定する場合について説明したが、本発明はこれに限定するものではなく、例えば、出力要求を検針要求とし、この検針要求に応じて全てのカウンタの積算値を出力するなど種々異なる実施の形態とすることができる。
【００５４】
また、上述した本実施の形態では、出力要求をガスメータ６の外部から通信部６５を介して設定器、センター側等から受信した際に、出力要求の発生を検出する場合について説明したが、ガスメータ６のスイッチによる所定の操作を検出するなど種々異なる実施の形態とすることができる。
【００５５】
【発明の効果】
以上説明したように請求項１に記載した本発明の流体計数装置によれば、出力要求の検出に応じてカウンタによる積算値を出力すると、カウンタに初期値を設定することから、流体計数装置が出力する積算値の桁数を少なくすることができる。従って、カウンタの積算値の桁数は少ないことから、その積算値を読み取り易くなり、読み取り作業に要する作業時間を短縮することができるため、作業負担を軽減することができるとともに、誤検針が発生する確率を低減させることができる。
【００５６】
請求項２に記載の発明によれば、請求項１に記載の発明の効果に加え、出力要求の検出に応じてカウンタによる積算値を出力すると、その積算値は積算履歴情報として記憶していることから、誤って出力要求を発生させてしまい、カウンタに初期値が設定されて積算値が消えてしまっても、積算履歴情報に基づいて積算値を正確に把握することができる。
【００５７】
以上説明したように請求項３に記載した本発明のガスメータによれば、ガス使用量等の検針に応じて出力要求が発生すると、この出力要求に応じてカウンタによる積算値を出力し、そのカウンタに初期値を設定することから、出力要求に応じて出力する積算値の桁数を少なくすることができる。従って、カウンタの積算値の桁数は少ないことから、検針員等は積算値を読み取り易くなり、検針作業に要する作業時間が短縮され、誤検針の確率も低くすることができる。また、センター側から自動検針する場合であっても、センター側に送信されるデータは従来よりも小さいことから、通信費用を低減することができるとともに、センター側で管理すべきデータの容量を低減することができる。
【図面の簡単な説明】
【図１】本発明の流体計数装置の基本構成を示す図である。
【図２】ガス供給設備の一例を示す構成図である。
【図３】本発明に係るガスメータの構成を示す構成図である。
【図４】図３のＣＰＵが実行する本発明に係る出力要求監視処理の一例を示すフローチャートである。
【符号の説明】
６            ガスメータ
６１ａ１      出力要求検出手段（ＣＰＵ）
６１ａ２      積算値出力手段（ＣＰＵ）
６１ａ３      初期値設定手段（ＣＰＵ）
６２ａ        カウンタ（メモリ部）
６２ｂ        積算履歴情報記憶手段（メモリ部）
【図１】
2005024363.tif 000003
【図２】
2005024363.tif 000004
【図３】
2005024363.tif 000005
【図４】
2005024363.tif 000006